(57)【要約】【課題】対向する基板のセル厚を均一にし、圧着時におけるシール材近傍の色調変動を防止した電気光学装置及びその製造方法、電子光学装置用積層体、電子機器を提供する。【解決手段】本発明の電気光学装置は、表示領域以外の実装領域１３の一部に、第１基板１１と第２基板１２間の実装領域１３の水平状態を保持する保持部１４を設けてなり、対向する基板のセル厚を均一にし、圧着時におけるシール材近傍の色調変動を防止することができ、表示変動が解消される。【選択図】      図１
2005106973.tif 000002
【特許請求の範囲】
【請求項１】
電気光学物質を挟持する一対の対向する基板を有する電気光学装置において、
表示領域以外の実装領域の一部に、基板圧着時に両基板の水平状態を保持する保持部を設けてなることを特徴とする電気光学装置。
【請求項２】
請求項１において、
保持部が基板に形成された基部と液晶間隙を維持するスペーサとからなることを特徴とする電気光学装置。
【請求項３】
請求項１又は２において、
保持部が基板のいずれか一方又は両方に設けてなることを特徴とする電気光学装置。
【請求項４】
請求項１乃至３のいずれか一つにおいて、
保持部が液晶封入領域に形成される表示要素の一又は二以上の要素であることを特徴とする電気光学装置。
【請求項５】
請求項１乃至４のいずれか一つにおいて、
基板の一方に電子部品が実装されてなることを特徴とする電気光学装置。
【請求項６】
請求項１乃至５のいずれか一つにおいて、
保持部が実装部分以外の領域に設けてなることを特徴とする電気光学装置。
【請求項７】
請求項１乃至６のいずれか一つにおいて、
保持部が格子状に又は散点して複数個設けてなることを特徴とする電気光学装置。
【請求項８】
電気光学物質を挟持する一対の基板を有する電気光学装置の製造方法において、
対向する基板の各々に表示要素を形成するとともに、表示領域以外の実装領域の一部に基板圧着時に両基板の水平状態を保持する基部を形成する工程と、
液晶間隙を維持するスペーサを散布する工程と、
基板を貼り合わせる工程と、
を有することを特徴とする電気光学装置の製造方法。
【請求項９】
請求項８において、
基板のいずれか一方又は両方に基部を形成する工程を有することを特徴とする電気光学装置の製造方法。
【請求項１０】
請求項８又は９において、
基板の一方に電子部品が実装する工程を有することを特徴とする電気光学装置の製造方法。
【請求項１１】
シール材で一対の基板を貼り合わされた電気光学装置であって、
前記一対の基板の前記シール材の内側の領域に形成され、複数の層で構成される積層体と、
前記一対の基板の少なくとも一方に、前記シール材より外側に延びかつ実装領域を形成する延出部と、
前記実装領域の一部に形成された凸状部を有することを特徴とする電気光学装置。
【請求項１２】
請求項１１において、前記凸状部は前記積層体の少なくとも一部で構成されることを特徴とする電気光学装置。
【請求項１３】
シール材で表示領域を区画されてなるパネルを複数構成する一対の基板と、
前記一対の基板の前記シール材の内側の領域に形成され、複数の層で構成される積層体と、
前記各パネルに形成されたシール材間に形成された中間部と、
前記中間部に対応する一対の基板間に形成され、前記基板間のギャップを埋める積層体とを備えることを特徴とする電気光学装置用積層体。
【請求項１４】
請求項１３において、前記ギャップを埋める積層体は、前記シール材の内側の領域に形成され積層体の少なくとも一部で構成されることを特徴とする電気光学装置用積層体。
【請求項１５】
請求項１３又は１４において、前記ギャップを埋める積層体は、前記表示領域に散布されたスペーサを含むことを特徴とする電気光学装置用積層体。
【請求項１６】
表示領域を有するパネルを複数構成する一対の基板の少なくとも一方の前記表示領域の外側に前記一対の基板間のギャップを埋める積層体を形成する工程と、
前記表示領域を囲み前記一対の基板をシール材で貼り合わせる工程と、
前記基板間のギャップを埋める積層体に隣接する領域で、前記一対の基板を破断する工程とを備えることを特徴とする電気光学装置の製造方法。
【請求項１７】
請求項１乃至７、請求項１１乃至１２のいずれか一つに記載の電気光学装置を用いてなることを特徴とする電子機器。
【発明の詳細な説明】
【技術分野】
【０００１】
本発明は、対向する基板のセル厚を均一にし、圧着時におけるシール材近傍の色調変動を防止した電気光学装置及びその製造方法、電子光学装置用積層体、電子機器に関するものである。
【背景技術】
【０００２】
電気光学パネルの一つである液晶パネルは、それぞれが電極を備えた一対の基板によって液晶を挟持することによって形成されるパネル構造体である。この液晶パネルに、液晶駆動用ＩＣ、ＦＰＣ（Ｆｌｅｘｉｂｌｅ Ｐｒｉｎｔｅｄ Ｃｉｒｃｕｉｔ：可撓性プリント基板）、バックライト、フロントライト等といった付帯機器を付設することにより液晶装置が形成される。なお、基板上に液晶駆動用ＩＣを直接に実装する構造の、いわゆるＣＯＧ（Ｃｈｉｐ Ｏｎ Ｇｌａｓｓ）方式の液晶パネルでは、基板上に液晶駆動用ＩＣが実装された状態のパネル構造体を液晶パネルと呼ぶこともある。
【０００３】
一般に、液晶パネルは、第１電極が形成された第１基板と第２電極が形成された第２基板とをシール材によって互いに貼り合わせ、それらの基板間に形成される間隙、いわゆるセルギャップ内に液晶を封入することによって形成される。
【０００４】
上記の液晶装置を製造する方法として、従来、液晶パネル複数分の第１電極が形成された第１基板母材と液晶パネル複数分の第２電極が形成された第２基板母材とを互いに組み合わせて複数の液晶パネル部分を含む大判パネル構造を形成し、次に上記大判パネル構造を切断して上記複数の液晶パネル部分の液晶注入口が外部に露出する構造の短冊状のパネル構造体を形成し、次に上記の露出した液晶注入口を通して各液晶パネル部分の内部へ液晶を注入し、次に上記短冊状のパネル構造体を個々の液晶パネルに分割し、次に上記の分割された個々の液晶パネルに偏光板を貼付するという一連の工程から成る製造方法が知られている。
また、偏光板を貼り付ける工程に先立って、必要に応じて、液晶駆動用ＩＣ等といったＩＣチップを液晶パネルに実装するＩＣ実装工程が実行されることもある（特許文献１）。
【０００５】
【特許文献１】特開２００３−８４２９３号公報
【発明の開示】
【発明が解決しようとする課題】
【０００６】
しかしながら、前述したような液晶パネルを製造するにおいて、その製造工程の基板同士を対向させて圧着する際に、その圧着圧力により空間部分があると、液晶シール材部分が基点となり、支持層の無い空間部分の端子部側がへこむため、てこの原理でシール際が厚くなり、この結果セル厚が変化し、特にシール材近傍にて色調変動を起こし、色調変動の所定の基準を超える場合には色調異常となる場合がある。
【０００７】
これは、特に、ＣＯＧ実装の場合、液晶駆動ＩＣを搭載するとＩＣの上部側に空隙があるので、該空隙とセル内の厚さとが一致せず、セル厚が液晶封入側と不均一となるからである。
【０００８】
本発明は、上記に鑑みてなされたものであって、対向する基板のセル厚を均一にし、圧着時におけるシール材近傍の色調変動を防止した電気光学装置及びその製造方法、電子光学装置用積層体、電子機器を提供することを課題とする。
【課題を解決するための手段】
【０００９】
上述した課題を解決し、目的を達成するために、本発明の電気光学装置は、電気光学物質を挟持する一対の対向する基板を有する電気光学装置において、表示領域以外の実装領域の一部に、基板圧着時に両基板の水平状態を保持する保持部を設けてなることを特徴とする。
これにより、対向する基板の圧着時において、両基板を水平状態に保持するようにし、これによりシール材を基点とした空間部分である実装領域側がの基板が撓むようなことが防止される。この結果、基板同士を圧着させる際における圧力分布が均一となり、色調変動が生ずることが防止される。
【００１０】
保持部が基板に形成された基部と液晶間隙を維持するスペーサとからなるようにすればよい。
【００１１】
また、保持部は基板のいずれか一方又は両方とするとよい。特に、実装部品と対向する基板に保持部を設けることにより、保持部の高さを任意にできる。
【００１２】
保持部が液晶封入領域に形成される表示要素の一又は二以上の要素であるので、別材料の保持部を設けることなく、表示要素の形成の際に同時に保持部を形成することができる。
【００１３】
基板の一方に電子部品が実装されてなるので、電子部品の上部の基板との空間を保持部により支持することができる。
【００１４】
保持部が実装部分以外の領域に設けてなるので、実装部の土台となることが無く、実装の接続信頼性が低下することが防止される。
【００１５】
保持部が格子状に又は散点して複数個設けてなるので、複数の保持部の存在による遮光効果により実装部品の光による誤動作を回避することができる。
【００１６】
電気光学物質を挟持する一対の基板を有する電気光学装置の製造方法において、電気光学物質を挟持する一対の基板を有する電気光学装置の製造方法において、対向する基板の各々に表示要素を形成するとともに、表示領域以外の実装領域の一部に基板圧着時に両基板の水平状態を保持する基部を形成する工程と、液晶間隙を維持するスペーサを散布する工程と、基板を貼り合わせる工程と、を有することを特徴とする。
これにより、対向する基板の圧着時において両基板を水平状態に保持するようにし、これによりシール材が基点とした空間部分の実装領域側が撓むようなことが防止される。
【００１７】
基板のいずれか一方又は両方に基部を形成する工程を有するので、基部部の高さを任意に調整できる。
【００１８】
基板の一方に電子部品が実装する工程を有するので、電子部品を実装した際、その上部の基板との空間を保持部により支持することができる。
【００１９】
また、他の電気光学装置は、シール材で一対の基板を貼り合わされた電気光学装置であって、前記一対の基板の前記シール材の内側の領域に形成され、複数の層で構成される積層体と、前記一対の基板の少なくとも一方に、前記シール材より外側に延びかつ実装領域を形成する延出部と、前記実装領域の一部に形成された凸状部を有することを特徴とする。これにより、対向する基板の圧着時において、両基板を水平状態に保持するようにし、これによりシール材を基点とした空間部分である実装領域側がの基板が撓むようなことが防止される。この結果、基板同士を圧着させる際における圧力分布が均一となり、色調変動が生ずることが防止される。
【００２０】
また、前記凸状部は前記積層体の少なくとも一部で構成されるので、別途凸状部を形成することなく、製造工程が増えることがなくなる。
【００２１】
また、電気光学装置用積層体は、シール材で表示領域を区画されてなるパネルを複数構成する一対の基板と、前記一対の基板の前記シール材の内側の領域に形成され、複数の層で構成される積層体と、前記各パネルに形成されたシール材間に形成された中間部と、
前記中間部に対応する一対の基板間に形成され、前記基板間のギャップを埋める積層体とを備えることを特徴とする。
ここで、前記ギャップを埋める積層体は、前記シール材の内側の領域に形成され積層体の少なくとも一部で構成されていてもよい。また、前記ギャップを埋める積層体は、前記表示領域に散布されたスペーサを含むようにしてもよい。
【００２２】
また、電気光学装置の製造方法は、表示領域を有するパネルを複数構成する一対の基板の少なくとも一方の前記表示領域の外側に前記一対の基板間のギャップを埋める積層体を形成する工程と、前記表示領域を囲み前記一対の基板をシール材で貼り合わせる工程と、前記基板間のギャップを埋める積層体に隣接する領域で、前記一対の基板を破断する工程とを備えることを特徴とする。これにより、表示品位の高い電気光学装置を提供できる。
【００２３】
また、本発明の電子機器は、前記いずれか１つの電気光学装置を備えることを特徴とするものである。これにより、表示品位の高い電子機器を提供できる。
【発明を実施するための最良の形態】
【００２４】
以下に、本発明に係る電気光学装置の実施例を図面に基づいて詳細に説明する。なお、この実施例により本発明が限定されるものではない。
【実施例１】
【００２５】
図１は、本実施例に係る電気光学装置の構成図である。ここで、図１に示す電気光学装置は完成品でなく、複数のパネルもしくは電気光学装置が並ぶ（マトリクス状、ストライプ状のいずれでもよい）母材の基板である。
図１に示すように、本実施例にかかる電気光学装置の一例である液晶装置１０は、電気光学物質の一例である液晶を挟持する一対の第１基板１１及び第２基板を有する電気光学装置において、表示領域以外の実装領域１３の一部に、第１基板１１と第２基板１２間の実装領域１３の水平状態を保持する保持部１４を設けてなるものである。
【００２６】
ここで、第１基板１１と第２基板１２とのギャップはいわゆるセル厚を制御する部材として、液晶領域に散布され、液晶間隙を維持するスペーサ２７と、シール材２９内側に設けられるスペーサ（図示せず）から構成されているが、本発明では、これ以外において、実装領域に保持部１４を設けることにより、第１基板と第２基板との圧着時において水平状態を保持するようにし、これによりシール材２９が基点として空間部分の実装領域側が撓むようなことが防止される。
【００２７】
特に、ＣＯＧ実装の場合、液晶駆動ＩＣを搭載するとＩＣの上部側に空隙があるので、該空隙と液晶表示領域厚さとが一致せず、セル厚が液晶封入側と不均一となる場合においても、保持部１４の存在により、基板圧着時における撓みを防止することができる。
【００２８】
本実施例では、液晶封入領域には、第１基板１１側に反射層２１であるアルミニウム層と、その上部にカラーフィルタ層２２及びブラックマトリックス層２３、オーバーコート層２４が形成され、該オーバーコート層２４の上にＩＴＯ（Ｉｎｄｉｕｍ Ｔｉｎ Ｏｘｉｄｅ）の電極２５等の複数の層が積層されている。
本実施例では、反射層２１は全面に形成され、反射型液晶装置を構成している。なお、画素部に反射部と透過部とを有する半透過反射型液晶装置としてもよい。
一方、対向する第２基板１２にはＩＴＯ（Ｉｎｄｉｕｍ Ｔｉｎ Ｏｘｉｄｅ）の電極２６が形成されている。
ここで、図１中、符号２８は液晶封入領域であり、第１基板１１，第２基板１２間に形成される液晶封入領域２８にシール材２９によりシールされて液晶が封入される。また、符号ａ1、ａ2、ｂ1は、基板を切断するブレイク工程における切断部分を示す。
ブレイク工程においては、先ずａ1、ｂ1部分で切断して液晶パネルとし、その後ａ2部分を切断して、第１基板１１側のみを延設させた状態とし、実装領域における実装作業を容易にしている。
【００２９】
本実施例では、第１基板１１側の表示領域に形成するオーバーコート層２４を形成する際に、実装領域１３の一部に保持部１４を構成する凸状部である基部３４も同材質で同様に形成するようにしている。そして、第１基板１１と第２基板１２とを貼り合せる際に、液晶のギャップを保持するスペーサ２７を散布するときに、基部３４の上面にも該スペーサ２７が載るようにし、基部３４とスペーサ２７とにより、圧着する第２基板１２側の水平状態を保持するようにしている。
【００３０】
この結果、本実施例では、基部３４とスペーサ２７とからなる保持部１４により、両基板を圧着する際に、対向する基板同士の平行状態を保持することとなるので、圧力分布が均一となり、色調変動が生ずることが防止される。
なお、実施例１においては、後述する実施例に較べてギャップが少しはあるものの、対向する第１基板１１と第２基板１２を圧着する際において、水平状態を十分に維持できるものとなる。
【００３１】
また、なお、本実施例では、表示部側においてオーバーコート層２４を形成する際に、実装領域１３に基部３４を形成するようにしたが、表示部側に形成される表示要素は電気光学装置の種類により種々変更するので、例えばカラーフィルタ、絶縁膜、電極、反射膜等により適宜基部を形成するようにすればよい。この場合においても、表示領域の表示要素と同様の材質により基部を形成するので、別途基部を形成することがなく、製造工程が増えることがない。
【００３２】
このように、本発明では、シール材２９の内側の領域に形成され、複数の層で構成される積層体の一つであるオーバーコート層２４を、実装領域１３の一部に保持部１４を形成するので、対向する基板同士を圧着する際の水平状態を保持することが可能となる。本実施例では凸状部である保持部１４はシール材２９より外側に延びかつ実装領域を形成する延出部に形成されることになる。
【００３３】
ここで、表示領域以外の実装領域とは、液晶封入領域外の実装領域をいう。また、基部を形成する領域としては、実装領域においても、特に実装に関与しない領域とすることが好ましい。これは実装をする際には、ＩＣのバンプ部分、ＦＰＣ圧着に必要な部分があり、該領域を避けた領域とするのが好ましいからである。
特に、基部としてオーバーコート層のようなガラス基板等と較べてあまり硬度が高くない材質を用いた場合には、確実に実装することができず、実装の信頼性を維持することができないからである。
また、高電圧がかかるような配線部分（例えばＣＯＭ配線等）については、コロージョン回避のために、基部の設置を避けることが好ましい。
【００３４】
図６は第１基板の平面概略図である。図６は表示領域を構成する液晶を区画するシール材２９と実装領域１３とを示すものである。実装領域１３には、配線部３１、端子部３２及びＩＣ部３３が形成されている。そして、この配線部３１、端子部３２及びＩＣ部３３を避けた領域に基部３４を形成するようにしている。
【００３５】
図６においては、シール材２９で表示領域を区画されてなるパネルを複数構成するものの一部を示している。各パネルに形成されたシール材２９間に形成された中間部である実装領域１３に、基板間のギャップを埋める積層体である保持部を備えるようにしている。このギャップを埋める積層体は、シール材２９の内側領域に形成される例えばオーバーコート層等の積層体の少なくとも一部としており、これにより、電気光学装置用積層体を構成している。なお、このギャップを埋める積層体は、表示領域に散布されたスペーサ２７を含むものである。
また、この複数のパネルを構成する場合には、一対の基板間のギャップを埋める積層体を形成した後、前記表示領域を囲み前記一対の基板をシール材で貼り合わせ、次いで、前記基板間のギャップを埋める積層体に隣接する領域で、前記一対の基板を破断するようにしている。
【００３６】
図７は具体的な実装領域を示す模式図である。図７は実装領域を示すものであり、シール材２９により区画されている。本実施例では、基部３４の設置位置として三箇所Ａ〜Ｃに設けたものを示しているが、本発明はこれに限定するものではない。Ａ部分は独立した矩形型の大型の基部３４であり、配線３１ａの外側に形成している。また、Ｂ部分は５個の基部３４から格子状に形成しており、配線３１ａと配線３１ｂ及び端子３２に囲まれた領域に形成されている。また、Ｃ部分は矩形型の中型の基部３４を隣接するように、端子３２と配線３１ｂ部分の間に形成されている。なお、前記配線３１ａと３１ｂは、図７では省略しているが、各基板の表示領域内に延びるものである。
【００３７】
なお、基部の配置パターンは格子状に限定されるものではなく。基板の実装領域に散点して保持部機能を発揮するように存在されていればよい。但し、あまり細かなパターンとすると、散布されるスペーサが基部に十分載らないおそれがあるので、スペーサが十分載るようなパターンとすることが必要である。
【００３８】
ここで、図７中、符号Ｘで示す領域は、基部形成禁止領域であり、例えば、ＦＰＣの圧着ヘッド等が干渉するために、この領域には基部を形成しないようにすることが好ましい。
また、パネルの切り出しを行うために、ブレイク部近傍にも基部を形成せず、切り出し位置ずれの防止を図るようにしている。
【００３９】
また、図７に示すように保持部１４を格子状に配置するのは、アルミニウム反射層内蔵のカラーフィルタでは下部ガラス側にＣＯＧをなす場合、端子部分には駆動回路のＩＣ（Ｄｒ−ＩＣ）とＦＰＣとが実装されるので、その実装に用いるＡＣＦ（Ａｎｉｓｏｔｒｏｐｉｃ Ｃｏｎｄｕｃｔｉｖｅ Ｆｉｌｍ：異方性導電接着剤）の接着領域をできる限り広くしたいためである。これにより、基板であるガラス面の存在により、ＡＣＦ接着を確実に行うことができる。
【００４０】
このように、表示領域以外の実装領域の一部に保持部１４を設けることで、液晶パネルの製造において、第１基板１１と第２基板１２とを貼り合せる際に、スペーサ２７を散布した後、第１基板１１に対して第２基板１２を圧着する際において、基部３４とスペーサ２７から構成される保持部１４の存在により、第２基板が極端に撓むことが防止され、平行状態を保持するので、表示領域におけるセル厚の変化がなく、色調変動が生ずることが防止される。
【００４１】
また、複数の基部１４の存在により外部からの光が実装部分に進入することを防止するので、遮光効果が向上し、駆動ＩＣに光誤動作を防止することができる。
【実施例２】
【００４２】
図２は実施例２の電気光学装置の概略図である。
本実施例では、基部の構成を変化させたものであり、基部の形成位置は実施例と同様であり、その説明は省略する。
本実施例においては、表示領域を形成する際に、実装領域１３に積層体であるカラーフィルタを構成するブラックマトリックス層２３と同様の材質の基部３４ａと、他の積層体であるオーバーコート層２４と同様の材質の基部３４ｂを形成し、基部３４ａ、３４ｂから凸形状の基部３４を構成している。
本実施例では、基部３４ａ、３４ｂから基部３４を構成しているので、スペーサ２７により保持部１４を形成する際、実施例１よりも基板間のギャップは小さくなる。
実施例２においては、実施例１に較べてギャップが小さくなっているので、対向する基板を圧着する際において、水平状態をさらに十分に維持できるものとなる。
本実施例では、基部３４にブラックマトリックス層２４の材質を用いているので、ブレイク部近傍に基部を形成しないようにするとよい。これは、ブラックマトリックスで使用される例えば黒色の色材にはカーボンが含有しているものもあり、該カーボンの飛散により、ショートすることを防止するためである。
【実施例３】
【００４３】
図３は実施例３の電気光学装置の概略図である。
本実施例では、基部の構成を変化させたものであり、基部の形成位置は実施例と同様であり、その説明は省略する。
本実施例においては、表示領域を形成する際に、実装領域１３に積層体であるブラックマトリックス層２３と同様の材質の基部３４ａと、他の積層体であるオーバーコート層２４と同様の材質の基部３４ｂ、別の積層体である電極層２５と同様の材質の基部３４ｃを形成し、基部３４ａ、３４ｂ、３４ｃから基部３４を構成している。
本実施例では、基部３４ａ、３４ｂ、３４ｃから凸形状の基部３４を構成しているので、スペーサ２７により保持部１４を形成する際、実施例２よりも基板間のギャップは小さくなる。
本実施例では、基部３４ｃに電極層２５と同様の材質を使用しているので、オーバーコート層と同様の材質からなる基部３４ｂを被覆することにより、ラビング汚れ対策を図ることができる。これは、電極層の材質を形成することで、オーバーコート層の材質の基部３４ｂのみの場合では、ラビング処理におけるラビング布で表面が引きずられやすく、削り屑を散乱し、実装領域に残存してショートとなるのを防止することができるからである。さらに、実装前の洗浄（ドライエッチング）でのオーバーコート層表面の削れ防止にも寄与する。
【実施例４】
【００４４】
図４は実施例４の電気光学装置の概略図である。
本実施例では、基部の構成を変化させたものであり、基部の形成位置は実施例と同様であり、その説明は省略する。
本実施例においては、表示領域を形成する際に、実装領域１３に積層体である反射層２１と同様の材質の基部３４ｄと、積層体であるブラックマトリックス層２３と同様の材質の基部３４ａと、積層体であるオーバーコート層２４と同様の材質の基部３４ｂと、積層体である電極層２５と同様の材質の基部３４ｃとを形成し、基部３４ａ、３４ｂ、３４ｃ、３４ｄから凸形状の基部３４を構成している。
本実施例では、基部３４ａ、３４ｂ、３４ｃ、３４ｄから基部３４を構成しているので、スペーサ２７により保持部１４を形成する際、基板間のギャップはほとんど無くなる。
これにより、第１基板１１と第２基板１２との圧着時における両基板の水平状態は完全に維持され、基板の撓みが全く発生しないものとなる。
【実施例５】
【００４５】
図５は実施例５の電気光学装置の概略図である。
本実施例では、基部の形成場所を変更させたものである。
本実施例においては、第２基板側１２にオーバーコート層２４と同様の材質の基部３４を構成している。第１基板１１に対向する第２基板１２においては、一般にオーバーコート層の形成はないものの、電極２６の形成の前後のいずれかに、基部３４を別途形成するようにしている。このように、別途基部３４のみを独立して形成するので、任意の厚さとすることができ、液晶封入側の液晶間隙と近似したギャップを構成することができる。
また、基部３４を形成した第１基板１２部分は、ブレイク工程においてｂ1部分で切断されて除去されるので、実施例１〜４のように第１基板１１側に基部を形成するときのように当該基部が残らないものとなる。
【００４６】
以上、好ましい実施形態を挙げて本発明を説明したが、本発明はその実施形態に限定されるものでなく、請求の範囲に記載した発明の範囲内で種々に改変できる。
本発明は、パッシブマトリックス型の液晶表示装置以外に、例えば、ＴＤＦ（ＴｈｉｎＦｉｌｍ Ｄｉｏｄｅ）素子等とった２端子型のスイッチング素子を用いるアクティブマトリクス方式の液晶装置や、ＴＦＴ（Ｔｈｉｎ Ｆｉｌｍ Ｔｒａｎｓｉｓｔｏｒ）素子等といった３端子型のスイッチング素子を用いるアクティブマトリクス方式の液晶表示装置等にも適用できる。
【実施例６】
【００４７】
次に、本発明に係る液晶表示装置を適用可能な電子機器の具体例について図８及び９を参照して説明する。
まず、本発明に係る液晶表示装置を、可搬型のパーソナルコンピュータ（いわゆるノート型パソコン）の表示部に適用した例について説明する。図８は、このパーソナルコンピュータの構成を示す斜視図である。同図に示すように、パーソナルコンピュータ９１は、キーボード９１１を備えた本体部９１２と、本発明に係る液晶表示装置を適用した表示部９１３とを備えている。
【００４８】
続いて、本発明に係る液晶表示装置を、携帯電話機の表示部に適用した例について説明する。図９は、この携帯電話機の構成を示す斜視図である。
同図に示すように、携帯電話機９２は、複数の操作ボタン９２１のほか、受話口９２２、送話口９２３とともに、本発明に係る液晶表示装置を適用した表示部９２４を備える。
【００４９】
なお、本発明に係る液晶表示装置を適用可能な電子機器としては、図８に示したパーソナルコンピュータや図９に示した携帯電話機の他にも、液晶テレビ、ビューファインダ型・モニタ直視型のビデオテープレコーダ、カーナビゲーション装置、ページャ、電子手帳、電卓、ワードプロセッサ、ワークステーション、テレビ電話、ＰＯＳ端末、ディジタルスチルカメラなどが挙げられる、特に限定されるものではない。
【００５０】
また、上述した実施形態では、電気光学装置として、液晶装置に適用した場合について説明したが、本発明はこれに限定されず、エレクトロルミネッセンス装置、特に、有機エレクトロルミネッセンス装置、無機エレクトロルミネッセンス装置等や、プラズマディスプレイ装置、電子放出素子を用いた装置（例えばＦＥＤ：ＦｉｅｌｄＥｍｉｓｓｉｏｎ  Ｄｉｓｐｌａｙ、ＳＣＥＥＤ：Ｓｕｒｆａｃｅ−Ｃｏｎｄｕｃｔｉｏｎ  Ｅｌｅｃｔｒｏｎ−Ｅｍｉｔｔｅｒ  Ｄｉｓｐｌａｙ等）、ＬＥＤ（発光ダイオード）表示装置、電気泳動表示装置、薄型のブラウン管、液晶シャッター等を用いた小型テレビ、デジタルマイクロミラーデバイス（ＤＭＤ）を用いた装置などの各種の電気光学装置に適用できる。
【産業上の利用可能性】
【００５１】
以上のように、本発明に係る電気光学装置は、対向する基板のセル厚を均一にし、圧着時におけるシール材近傍の色調変動を防止することができ、表示変動が解消され、特に、表示品質の高い電子機器に適している。
【図面の簡単な説明】
【００５２】
【図１】実施例１に係る電気光学装置の構成断面図。
【図２】実施例２に係る電気光学装置の構成断面図。
【図３】実施例３に係る電気光学装置の構成断面図。
【図４】実施例４に係る電気光学装置の構成断面図。
【図５】実施例５に係る電気光学装置の構成断面図。
【図６】実施例１に係る電気光学装置の平面構成図。
【図７】実施例１に係る電気光学装置の他の平面構成図。
【図８】パーソナルコンピュータの斜視図。
【図９】携帯電話の斜視図。
【符号の説明】
【００５３】
１０  電気光学装置、１１  下部基板、１２  上部基板、１３  実装領域、１４  保持部  ２１  反射層  ２２  カラーフィルタ層  ２３  ブラックマトリックス層、２４  オーバーコート層、２５、２６  電極、２７  スペーサ、２８  液晶封入領域、２９  シール材、３４  基部
【図１】
2005106973.tif 000003
【図２】
2005106973.tif 000004
【図３】
2005106973.tif 000005
【図４】
2005106973.tif 000006
【図５】
2005106973.tif 000007
【図６】
2005106973.tif 000008
【図７】
2005106973.tif 000009
【図８】
2005106973.tif 000010
【図９】
2005106973.tif 000011